(57)【要約】【課題】水圧の変動に影響されることのなく使用水量を算出可能にした使用水量算出装置及び浄水器の提供。【解決手段】上記課題は、水通路内を流れる水の水圧の変動によってその水通路内を移動する円筒状の磁性体１２と、この磁性体１２の移動により共振周波数を変化させるＬＣ共振回路を構成する電磁コイル１４と、前記磁性体の移動を規制するばね体１５と、ＬＣ共振回路によって得られた共振周波数に基づき使用水量を算出するマイクロプロセッサ１６と、このマイクロプロセッサ１６の電源とから少なくとも構成した使用水量算出装置５により、達成できる。【選択図】図１
2007107982.tif 000002
【特許請求の範囲】
【請求項１】
水通路内を流れる水の水圧の変動によってその水通路内を移動する円筒状の磁性体と、この磁性体の移動により共振周波数を変化させるＬＣ共振回路を構成する電磁コイルと、前記磁性体の移動を規制するばね体と、前記ＬＣ共振回路によって得られた共振周波数に基づき使用水量を算出するマイクロプロセッサと、このマイクロプロセッサの電源とから少なくとも構成したことを特徴とする使用水量算出装置。
【請求項２】
前記マイクロプロセッサによって算出された使用水量が所定値以上になったならばその旨の表示がなされるインジケーターと、前記マイクロプロセッサの電源となる電池とを設けたことを特徴とする請求項１記載の使用水量算出装置。
【請求項３】
前記磁性体における水の流入側に、その磁性体と一体的に円筒部材を設け、この円筒部材の受圧面積が磁性体の受圧面積よりも大きくなるように設定したことを特徴とする請求項１若しくは２記載の使用水量算出装置。
【請求項４】
水栓の流出部に接続する接続口を設けた本体ケースと、この本体ケースに着脱自在に取り付けられた浄水用カートリッジと、この浄水用カートリッジの使用水量を算出する使用水量算出装置と、前記浄水用カートリッジの交換時期を喚起する喚起手段とを少なくとも備え、前記本体ケースに、前記水栓からの原水を前記浄水用カートリッジに流入させる原水通路と、前記浄水用カートリッジ内で処理した浄水を前記本体ケースに設けた浄水口から流出させる浄水通路とを設けてなる使用水量算出装置付き浄水器において、
前記使用水量算出装置を、前記浄水通路内若しくは前記原水通路内の水圧の変動によって前記浄水通路内若しくは前記原水通路内を移動する磁性体と、この磁性体の移動により共振周波数を変化させるＬＣ共振回路を構成する電磁コイルと、前記磁性体の移動を規制するばね体と、前記ＬＣ共振回路によって得られた共振周波数に基づき使用水量を算出するマイクロプロセッサと、このマイクロプロセッサの電源となる電池とから少なくとも構成したことを特徴とする使用水量算出装置付き浄水器。
【請求項５】
前記喚起手段を、前記マイクロプロセッサによって算出された使用水量が所定値以上になったならば前記浄水用カートリッジの寿命である旨の表示がなされるインジケーターとしたことを特徴とする請求項４記載の使用水量算出装置付き浄水器。
【発明の詳細な説明】
【技術分野】
【０００１】
本発明は、水栓などから流出する水の使用水量を算出する使用水量算出装置及びその使用水量算出装置を用いて浄水用カートリッジの交換時期を喚起するようにした使用水量算出装置付き浄水器に関するものである。
【背景技術】
【０００２】
従来、水道水などの水の使用水量を算出する使用水量算出装置としては、水路内に水流により回転する羽根の内部に永久磁石を埋め込んだ小型水車を装着して、その小型水車の回転速度が水量に比例して増減することによる磁力の変化を、ホール素子で感知することによって、水路内を流れる水の水量を累積計算するようにしたものが知られていた（例えば、特許文献１参照）。
【０００３】
さらに、浄水用カートリッジの交換時期を喚起するようにした浄水器としては、浄水用カートリッジに流入する水の使用水量を、インジケーターに表示することにより、浄水用カートリッジの寿命を使用者に喚起させるようにしたものが知られていた（例えば、特許文献１参照）。
【０００４】
【特許文献１】特開平１０−１１８６４１号公報（段落番号００１０〜００１５、図３〜図４）
【発明の開示】
【発明が解決しようとする課題】
【０００５】
しかしながら、上述の特開平１０−１１８６４１号公報に記載されている使用水量算出装置及びその使用水量算出装置を用いた浄水器では、小型水車を装着した水路内の水圧が低い場合でも小型水車の回転数が十分に得られるようにすると、小型水車を装着した水路内の水圧が高くなった場合に、小型水車の回転数が大きくなり過ぎてしまうために、小型水車の回転軸の摩耗が激しくて、小型水車が短時間で使用不能になってしまい、寿命が短いという問題点を有していた。
【０００６】
さらに、上述の特開平１０−１１８６４１号公報に記載されている使用水量算出装置を用いた浄水器では、水道水の水圧が地域や各家庭によって異なっていること及び浄水器の浄水用カートリッジが目詰まりすることなどが起因して、小型水車を装着した水路内に水が流れていても、小型水車が回転せず、その水路内を流れる水の水量が計算されないことがあり、浄水用カートリッジに流入する水の使用水量が、インジケーターに正確に表示されないので、浄水用カートリッジの寿命を使用者に正確に喚起させることができないという問題点を有していた。
【０００７】
本発明は、上述のような従来技術による現状に鑑みてなされたもので、その目的は、長寿命化を図り、かつ、使用水量の算出を正確に行うことを可能にした使用水量算出装置及びその使用水量算出装置を用いた浄水器を提供することにある。
【課題を解決するための手段】
【０００８】
上記目的を達成するために、本発明は、使用水量算出装置を、水通路内の水圧の変動によってその水通路内を移動する磁性体と、この磁性体の移動により共振周波数を変化させるＬＣ共振回路を構成する電磁コイルと、前記磁性体の移動を規制するばね体と、前記ＬＣ共振回路によって得られた共振周波数に基づき使用水量を算出するマイクロプロセッサと、このマイクロプロセッサの電源とから少なくとも構成するようにしたことを特徴としている。
【０００９】
さらに、本発明は、使用水量算出装置に、前記マイクロプロセッサによって算出された使用水量が所定値以上になったならばその旨の表示がなされるインジケーターと、前記マイクロプロセッサの電源となる電池とを設けたことを特徴としている。
【００１０】
さらに、本発明は、前記磁性体における水の流入側に、その磁性体と一体的に円筒部材を設け、この円筒部材の受圧面積が磁性体の受圧面積よりも大きくなるように設定したことを特徴としている。
【００１１】
さらに、本発明は、水栓に接続する接続口を設けた本体ケースと、この本体ケースに着脱自在に取り付けられた浄水用カートリッジと、この浄水用カートリッジの使用水量を算出する使用水量算出装置と、前記浄水用カートリッジの交換時期を喚起する喚起手段とを少なくとも備え、前記本体ケースに、前記水栓からの原水を前記浄水用カートリッジに流入させる原水通路と、前記浄水用カートリッジ内で処理した浄水を前記本体ケースに設けた浄水口から流出させる浄水通路とを設けた浄水器において、前記使用水量算出装置を、前記浄水通路内若しくは前記原水通路内の水圧の変動によって前記浄水通路内若しくは前記原水通路内を移動する磁性体と、この磁性体の移動により共振周波数を変化させるＬＣ共振回路を構成する電磁コイルと、前記磁性体の移動を規制するばね体と、前記ＬＣ共振回路によって得られた共振周波数に基づき使用水量を算出するマイクロプロセッサと、このマイクロプロセッサの電源となる電池とから少なくとも構成したことを特徴としている。
【００１２】
さらに、本発明は、前記喚起手段を、前記マイクロプロセッサによって算出された使用水量が所定値以上になったならば前記浄水用カートリッジの寿命である旨の表示がなされるインジケーターとしたことを特徴としている。
【発明の効果】
【００１３】
本発明によれば、水圧の変動があっても、使用水量を正確に算出することを可能にした使用水量算出装置を提供することができる。
【００１４】
本発明によれば、浄水用カートリッジの交換時期を正確に喚起させることを可能にした使用水量算出装置付き浄水器を提供することができる。
【発明を実施するための最良の形態】
【００１５】
以下、本発明の実施形態例を図１〜図１２に基づき、詳説する。図１は、本発明の一実施形態に係わり、水栓に取り付けた浄水器の上方外観斜視図である。図２は、本発明の一実施形態に係わり、水栓に取り付けた一部を破断してなる浄水器の上面図である。図３は、本発明の一実施形態に係わり、水栓に取り付けた浄水器の要部縦断面図である。図４は、図３のＡ−Ａ断面図である。図５は、本発明の一実施形態に係わり、水栓に取り付けた浄水器の下方外観斜視図である。図６は、本発明の一実施形態に係わり、水栓に取り付けた浄水器の使用水量算出装置を設置した部分の縦断面図である。図７は、本発明の一実施形態に係わり、水栓に取り付けた浄水器に組み込まれた使用水量算出装置部分の縦断面拡大図で、水圧を受けず、動作していないときのものである。図８は、本発明の一実施形態に係わり、水栓に取り付けた浄水器に組み込まれた使用水量算出装置部分の縦断面拡大図で水圧を受け、動作しているときのものである。図９は、本発明の一実施形態に係わり、浄水器の電気回路図である。図１０は、本発明の一実施形態に係わり、発信回路図である。図１１は、本発明の一実施形態に係わり、原水圧力と共振周波数及び流量との関係特性図である。図１２は、本発明の他実施形態に係わり、水栓に取り付けた浄水器の使用水量算出装置を設置した部分の縦断面図である。
【００１６】
図１〜図６に示す一実施形態の浄水器１は、水道などの水栓２の流出部２Ａに接続する接続口３Ａを設けた合成樹脂製の本体ケース３と、この本体ケース３に着脱自在に取り付けられた浄水用カートリッジ４と、この浄水用カートリッジ４の使用水量を算出する使用水量算出装置５と、浄水用カートリッジ４の交換時期を喚起する喚起手段６と、水栓２からの原水が浄水用カートリッジ４を通さないで直に本体ケース３外に流出したり、あるいは水栓２からの原水が浄水用カートリッジ４を通して本体ケース３外に流出したりするための水路切り替えレバー７と、本体ケース３に内蔵された制御基板８を、少なくとも備えている。
【００１７】
本体ケース３には、上面に水栓２の流出部２Ａに接続する接続口３Ａが、かつ、下面に浄水口３Ｂが、それぞれ設けられている。本体ケース３内には、水栓２からの原水を浄水用カートリッジ４に流入させる原水通路９と、浄水用カートリッジ４内で処理した浄水を本体ケース３の浄水口から流出させる浄水通路１０とが設けられている。
【００１８】
浄水用カートリッジ４は、原水通路９から流入してきた原水を濾過材１１で濾過して浄水通路１０に流出する機能を有している。濾過材１１は、活性炭、中空糸膜束などからなり、浄水用カートリッジ４に内蔵されている。浄水用カートリッジ４は、交換が簡単に行えるように、本体ケース３のカートリッジ収納部３Ｃに設置されている。
【００１９】
喚起手段６は、本体ケース３の外周面に設けた発光ダイオードなどから構成されるインジケーター６Ａからなり、使用水量算出装置５によって算出された使用水量が所定値以上になったならば、浄水用カートリッジ４が寿命である旨の表示を行わせることで、浄水用カートリッジ４の交換時期を、浄水器１の使用者に喚起させるようにしてある。
【００２０】
本体ケース３は、水路切り替えレバー７を、水栓２からの原水が浄水用カートリッジ４を通さないで直に本体ケース３外に流出する方向に切り替えた場合には、水栓２からの原水が本体ケース３の下面のシャワー流出口３Ｄから本体ケース３の下方に落下するようにしてあると共に、水栓２からの原水が浄水用カートリッジ４を通して本体ケース３外に流出する方向に切り替えた場合には、浄水用カートリッジ４によって浄化された浄水が本体ケース３の下面の浄水口３Ｂから本体ケース３の下方に落下するようにしてある。シャワー流出口３Ｄは、図５に示すように、浄水口３Ｂの周囲に配置されている。
【００２１】
浄水器１に組み込まれた使用水量算出装置５は、原水通路９内の水圧の変動によって原水通路９内を移動する円筒形状の磁性体１２と、この磁性体１２に一体的に設けられた合成樹脂製の円筒部材１３と、磁性体１２の移動により共振周波数を変化させるＬＣ共振回路Ｐを構成する電磁コイル１４と、磁性体１２の移動を規制する弦巻ばねなどからなるばね体１５と、ＬＣ共振回路Ｐによって得られた共振周波数Ｆｘに基づき使用水量を算出するマイクロプロセッサ１６と、このマイクロプロセッサ１６によって算出された使用水量が所定値以上になったならばその旨の表示がなされるインジケーター６Ａと、マイクロプロセッサ１６の電源となる電池１７とから構成される。
【００２２】
原水通路９は、図７及び図８に示すように、水栓２の流出部２Ａに連通させた合成樹脂製の第１円筒体９Aと、この第１円筒体９Aに接続された合成樹脂製の第２円筒体９Ｂと、一方が第２円筒体９Ｂに接続され、かつ、他方が浄水用カートリッジ４の入口に連通させた合成樹脂製の第３円筒体９Ｃとからなっている。磁性体１２は、図７及び図８に示すように、原水通路９を形成する第２円筒体９Ｂ内に、水圧の変動によって移動することが可能となるように設けられている。円筒部材１３は、磁性体１２の原水流入側１２Ａに一体的に設けられて、磁性体１２と一緒に第２円筒体９Ｂ内を移動するように設けられている。円筒部材１３の受圧面積は、磁性体１２の受圧面積よりも大きくなるように設定されている。
【００２３】
ばね体１５は、原水通路９を形成する第２円筒体９Ｂ内に設けられ、かつ、磁性体１２の原水流出側１２Ｂに当接してその原水流出側１２Ｂを常時押圧するように設けられている。ばね体１５は、円筒部材１３及び磁性体１２に水圧が加わっていない場合には、図７に示すように、略伸びた状態となり、かつ、円筒部材１３及び磁性体１２に最大水圧が加わった場合には、図８に示すように、磁性体１２の原水流出側１２Ｂと第３円筒体９Ｃの先端との間で圧縮して密着高さとなるようにしてある。円筒部材１３は、その円筒部材１３に水圧が加わっていない場合には、第２円筒体９Ｂの内壁段部９Ｄに、ばね体１５に押圧されて当接するようにしてある。
【００２４】
電磁コイル１４は、図７及び図８に示すように、原水通路９を形成する第２円筒体９Ｂの外周に巻装されており、円筒部材１３及び磁性体１２に水圧が加わっていない場合には、磁性体１２が最も遠くなり、かつ、円筒部材１３及び磁性体１２に最大水圧が加わった場合には、最も近くなるようにしてある。電池１７は、リチウム電池などの一次電池からなり、交換可能となるように設けられている。
【００２５】
制御基板８には、電気回路１８が搭載されている。電気回路１８は、図９に示すように、マイクロプロセッサ１６と、電池１７と、インジケーター６Ａを構成する複数個の発光ダイオード１９と、ＬＣ共振回路Ｐを構成するコンデンサ２０と、発信回路２１と、発振子２２と、浄水用カートリッジ４が交換されるとその交換を検出するカートリッジ交換検出回路２３とからなっている。
【００２６】
マイクロプロセッサ１６は、信号処理部、流量演算処理部、流量情報処理部、電源入力端子、各種入力端子などからなっている。マイクロプロセッサ１６の信号処理部は、カートリッジ交換による積算流量の零リセット信号を処理する機能を有している。マイクロプロセッサ１６の流量演算処理部は、発振回路２１から入力される共振周波数のデータに基づいて流量を演算する機能を有している。マイクロプロセッサ１６の流量情報処理部は、予め定めた寿命に達する積算流量（以下、寿命積算流量と称する。）から流量演算処理部で演算された流量を積算して得られる積算流量を減算することで、寿命積算流量に達するまでの残流量を、発光ダイオード１９を点灯点滅させることにより、表示させる機能を有している。ＬＣ共振回路Ｐは、図９及び図１０に示すように、電磁コイル１４とコンデンサ２０を並列に接続することによって形成され、水流による磁性体１２の位置の変化を測定し、電気的に変換する機能を有している。
【００２７】
発信回路２１は、図１０に示すように、アナログ的反転増幅回路として動作する第１インバータ回路２５と、この第１インバータ回路２５の入出力間に接続された第１負帰還抵抗２６と、アナログ的反転増幅回路として動作する第２インバータ回路２７と、この第２インバータ回路２７の入出力間に接続された第２負帰還抵抗２８と、第１インバータ回路２５と第２インバータ回路２７との間に接続された第１結合コンデンサ２９と、この第２インバータ回路２７とＬＣ共振回路Ｐとの間に接続されて第２インバータ回路２７の増幅率を調整する調整抵抗３０と、この調整抵抗３０と直列に接続された第２結合コンデンサ３１と、第１インバータ回路２５、第１結合コンデンサ２９、第２インバータ回路２７、調整抵抗３０及び第２結合コンデンサ３１の直列回路に対して並列に接続された帰還抵抗３２とから構成され、水流による磁性体１２の位置の変化を、ＬＣ共振回路Ｐによって、
共振周波数（ｋＨｚ）として検出する機能を有している。
【００２８】
発振子２２は、セラミック若しくは水晶の単品からなり、流量を測定する際や流量を積算する際などに、マイクロプロセッサ１６の基準クロックとなる機能を有している。カートリッジ交換検出回路２３には、浄水用カートリッジ４を新しいものに交換した場合に、マイクロプロセッサ１６で演算された流量を、零にリセットさせる交換信号を発生させるリセットスイッチ２３Aが包含されている。
【００２９】
以上の構成からなる一実施形態の浄水器１を使用するには、本体ケースの接続口に水栓２を接続した状態で取り付けナット２４を用いて、その浄水器１を水栓２に固定する。
【００３０】
そして、水栓２からの原水を浄化せずにシャワー給水（原水給水）として使用する場合には、水路切り替えレバー７をシャワー給水側に切り替えた状態で、水栓２を開く。すると、水栓２の流出部２Ａから流出した原水は、原水通路９―浄水用カートリッジ４―浄水通路１０に流れ込むことなく、本体ケース３の下面のシャワー流出口３Ｄに直に流れ込み、そのシャワー流出口３Ｄから本体ケース３外に流出落下する。
【００３１】
さらに、水栓２からの原水を浄化して使用する場合には、水路切り替えレバー７を浄化給水側に切り替えた状態で、水栓２を開く。すると、水道水などの原水が水栓２の流出部２Ａから原水通路９を通って浄水用カートリッジ４に流れ込む。浄水用カートリッジ４に流れ込んだ原水は、濾過材１１によって浄化されて浄水となって、その浄水が浄水通路１０を通って本体ケース３の下面の浄水口３Ｂから本体ケース３外に流出落下する。
【００３２】
使用水量算出装置５の磁性体１２は、水道水などの原水が原水通路９に流れ込まないときには、図７に示すように、ばね体１５に押されて電磁コイル１４から最も離れた場所に位置している。そして、水道水などの原水が原水通路９に流れ込むと、磁性体１２がばね体１５のばね圧に逆らって第２円筒体９Ｂ内を移動して、電磁コイル１４に近づき、原水圧力が最大になるときには、図８に示すように、電磁コイル１４に最も近付いた場所に位置することになる。
【００３３】
磁性体１２が原水圧力によって、第２円筒体９Ｂ内を移動すると、電磁コイル１４のインダクタンスが変化するので、電磁コイル１４及びコンデンサ２０からなるＬＣ共振回路Ｐによって得られる共振周波数Ｆｘ（ｋＨｚ）は、図１１の点線曲線に示すように、変化することが、実験で確認できた。また、原水通路９内の原水圧力と原水通路９内に流れ込んだ原水の流量（リットル／分）との関係は、図１１の実線曲線に示すようになることが、実験で確認できた。このことにより、第２円筒体９Ｂ内における磁性体１２に位置によって得られる共振周波数Ｆｘ（ｋＨｚ）から原水通路９内に流れ込んだ原水の流量（リットル／分）を求める。この時、流量は、原水圧力の変化、使用状況の変化により、随時変動するので、細かく時間を区切り、例えば、１００ｍｓｅｃ毎に測定して流量を演算するようにすることで、正確に測定することができる。使用水量は、演算された流量を積算することで、使用水量が算出される。そして、マイクロプロセッサ１６によって算出された使用水量が所定値以上になったならば、浄水用カートリッジの寿命である旨の表示が、喚起手段６のインジケーター６Ａに、残使用可能流量（リットル）若しくは交換時期目安のアナログ表示で、具体的になされる。
【００３４】
以上のように、上記構成の使用水量算出装置５によれば、低い圧力や少ない水量でも、問題なく作動すると共に、短時間で水量の監視を常に行っているため、水圧の変動があっても、使用水量を正確に算出することができる。
【００３５】
以上のように、上記一実施形態の浄水器１によれば、元水圧の変化、蛇口の開け閉めによる水道水圧の変化を見逃すことなく、正確な流量を測定することができ、浄水用カートリッジ４の交換時期を正確に喚起させることができる。
【００３６】
さらに、上記一実施形態の浄水器１によれば、浄水用カートリッジ４を通過する原水のみの使用水量を使用水量算出装置５で算出することにより、インジケーター６Ａに表示するようにして、浄水用カートリッジ４を通過しない原水を使用水量算出装置５で算出することがないので、浄水用カートリッジ４の寿命を正確に喚起することができる。
【００３７】
図１２に示す他実施形態の浄水器は、浄水用カートリッジ４内で処理した浄水を本体ケース３に設けた浄水口３Ｂから流出させる浄水通路１０内に、浄水用カートリッジ４の使用水量を算出する使用水量算出装置５を設けるようにしたものであり、その他の点は上記一実施形態の浄水器１と同一構造になっている。この他実施形態の浄水器であっても、一実施形態の浄水器１と同様の効果が得られる。
【００３８】
上記実施形態では、使用水量算出装置５を浄水器に用いた場合について説明しているが、これに限定されない。使用水量算出装置５は、浄水器１以外のものであって、水道水などの原水の使用水量を算出してその算出した使用水量を表示する機能を備える必要のある、例えば、洗濯機、瞬間湯沸器、自動販売機、噴水機などに使用することができる。
【図面の簡単な説明】
【００３９】
【図１】本発明の一実施形態に係わり、水栓に取り付けた浄水器の上方外観斜視図である。
【図２】本発明の一実施形態に係わり、水栓に取り付けた一部を破断してなる浄水器の上面図である。
【図３】本発明の一実施形態に係わり、水栓に取り付けた浄水器の要部縦断面図である。
【図４】図３のＡ−Ａ断面図である。
【図５】本発明の一実施形態に係わり、水栓に取り付けた浄水器の下方外観斜視図である。
【図６】本発明の一実施形態に係わり、水栓に取り付けた浄水器の使用水量算出装置を設置した部分の縦断面図である。
【図７】本発明の一実施形態に係わり、水栓に取り付けた浄水器に組み込まれた使用水量算出装置部分の縦断面拡大図である。
【図８】本発明の一実施形態に係わり、水栓に取り付けた浄水器に組み込まれた使用水量算出装置部分の縦断面拡大図である。
【図９】本発明の一実施形態に係わり、浄水器の電気回路図である。
【図１０】本発明の一実施形態に係わり、発信回路図である。
【図１１】本発明の一実施形態に係わり、原水圧力と共振周波数及び流量との関係特性図である。
【図１２】本発明の他実施形態に係わり、水栓に取り付けた浄水器の使用水量算出装置を設置した部分の縦断面図である。
【符号の説明】
【００４０】
１    浄水器
２    水栓
２Ａ  流出部
３    本体ケース
３Ａ  接続口
３Ｂ  浄水口
３Ｃ  カートリッジ収納部
３Ｄ  シャワー流出口
４    浄水用カートリッジ
５    使用水量算出装置
６    喚起手段
６Ａ  インジケーター
７    水路切り替えレバー
８    制御基板
９    原水通路
９A  第１円筒体
９Ｂ  第２円筒体
９C  第３円筒体
９D  内壁段部
１０  浄水通路
１１  濾過材
１２  磁性体
１２A  原水流入側
１２B  原水流出側
１３  円筒部材
１４  電磁コイル
１５  ばね体
１６  マイクロプロセッサ
１７  電池
１８  電気回路
１９  発光ダイオード
２０  コンデンサ
２１  発信回路
２２  発振子
２３  カートリッジ交換検出回路
２４  取り付けナット
２５  第１インバータ回路
２６  第１負帰還抵抗
２７  第２インバータ回路
２８  第２負帰還抵抗
２９  第１結合コンデンサ
３０  調整抵抗
３１  第２結合コンデンサ
３２  帰還抵抗
Ｐ    ＬＣ共振回路
Ｆｘ  共振周波数
【図１】
2007107982.tif 000003
【図２】
2007107982.tif 000004
【図３】
2007107982.tif 000005
【図４】
2007107982.tif 000006
【図５】
2007107982.tif 000007
【図６】
2007107982.tif 000008
【図７】
2007107982.tif 000009
【図８】
2007107982.tif 000010
【図９】
2007107982.tif 000011
【図１０】
2007107982.tif 000012
【図１１】
2007107982.tif 000013
【図１２】
2007107982.tif 000014